(57)【要約】【課題】製作が容易で、ケーブル接続作業を簡便に行える監視制御装置を得る。【解決手段】複数の被制御機器を監視制御する監視制御装置本体に設けられ前記複数の被制御機器に対する入出力を行うための複数の入出力ユニット３０と、前記複数の入出力ユニット３０と前記複数の被制御機器とをそれぞれ中継する複数の中継器４０とを備え、前記複数の入出力ユニットを所定の配列方向において互いに隣接して配置し、前記複数の中継器４０を前記複数の入出力ユニット３０の配列方向に沿って互いに隣接して配置するとともに、固定長の本体側ケーブル２０により前記監視制御装置本体の入出力ユニット３０と中継器４０を接続する。【選択図】        図１
2004171420.tif 000002
【特許請求の範囲】
【請求項１】
複数の被制御機器を監視制御する監視制御装置本体に設けられ前記複数の被制御機器に対する入出力を行うための複数の入出力ユニットと、前記複数の入出力ユニットと前記複数の被制御機器とをそれぞれ中継する複数の中継器とを備え、前記複数の入出力ユニットを所定の配列方向において互いに隣接して配置し、前記複数の中継器を前記複数の入出力ユニットの配列方向に沿って互いに隣接して配置するとともに、固定長の本体側ケーブルにより前記監視制御装置本体の入出力ユニットと前記中継器を接続することを特徴とする監視制御装置。
【請求項２】
前記被制御機器を中継器に接続するための機器側ケーブルと中継器とをコネクタで接続することを特徴とする請求項１に記載の監視制御装置。
【請求項３】
前記中継器として、中継信号のチャネル間絶縁変換回路を有する中継器を備えたことを特徴とする請求項１または請求項２に記載の監視制御装置。
【請求項４】
前記中継器として、入力信号の電流変換手段を有する中継器を備えたことを特徴とする請求項１または請求項２に記載の監視制御装置。
【請求項５】
前記中継器の少なくともいずれか一つと、監視制御装置の複数の入出力ユニットとを接続するようにしたことを特徴とする請求項１ないし請求項４のいずれかに記載の監視制御装置。
【請求項６】
前記本体側ケーブルの入出力ユニット側に設けられるコネクタを交換可能に構成したことを特徴とする請求項１ないし請求項５にいずれかに記載の監視制御装置。
【発明の詳細な説明】
【０００１】
【発明の属する技術分野】
この発明は、監視制御装置、特に、上下水道プラントなどのプラントの監視および制御を行うプラント監視制御装置に関するものである。
【０００２】
【従来の技術】
プラント監視制御装置は、複数の基板コネクタとしての入出力ユニットを有する監視制御装置本体と、複数の中継コネクタを有する中継器とにより構成される（例えば、特許文献１参照）。
【０００３】
【特許文献１】
特開２００１−２６５４０３号公報
【０００４】
【発明が解決しようとする課題】
従来のプラント監視制御装置では、入出力ユニット３０における複数の基板コネクタの配列方向と、中継器における中継器コネクタの配列方向とが異なっているため、基板コネクタと中継器コネクタとを適正な長さのケーブルで接続しようとすると、異なる長さのケーブルを必要とする。
したがって、従来の監視制御装置の製作においては、複数種類の内線ケーブルの指定・取り付けが必要となり、装置の製作が簡単にならないなどの問題点があった。
【０００５】
この発明は、上記のような課題を解決するためになされたものであり、製作が容易でケーブル接続作業を簡便に行える監視制御装置を得ることを目的とする。
【０００６】
【課題を解決するための手段】
この発明に係るプラント監視制御装置は、複数の被制御機器を監視制御する監視制御装置本体に設けられ前記複数の被制御機器に対する入出力を行うための複数の入出力ユニットと、前記複数の入出力ユニットと前記複数の被制御機器とをそれぞれ中継する複数の中継器とを備え、前記複数の入出力ユニットを所定の配列方向において互いに隣接して配置し、前記複数の中継器を前記複数の入出力ユニットの配列方向に沿って互いに隣接して配置するとともに、固定長の本体側ケーブルにより前記監視制御装置本体の入出力ユニットと前記中継器を接続するものである。
【０００７】
【発明の実施の形態】
実施の形態１．
この発明の実施の形態１を図１に基づいて説明する。図１は実施の形態１における構成を示す分解斜視図である。
【０００８】
図１において、外線ケーブル１０はプラント機器に接続される。内線ケーブル２０は監視制御装置の内部で扱われるディジタルデータとプラント機器が扱う信号の変換を行う入出力ユニット３０と中継器４０とを接続する。
中継器４０は外線ケーブル１０のコネクタ１１の形状と入出力ユニット３０のコネクタ３１の形状の違いを吸収するために設けられる。
【０００９】
監視制御装置の入出力ユニット３０のコネクタ３１を内線ケーブル２０のコネクタ２１と接続し、中継器４０のコネクタ４２を内線ケーブル２０のコネクタ２２と接続し、中継器４０のコネクタ４１を外線ケーブル１０のコネクタ１１と接続することにより、監視制御装置の入出力ユニット３０とプラント機器とをインタフェースする。
【００１０】
図１では、入出力ユニット３０と中継器４０の位置関係を、上下方向に一定、左右方向は差異が発生しないように配置することにより、入出力ユニット３０と中継器４０を固定長の内線ケーブル２０で接続する。内線ケーブル２０を固定長とすることにより、監視制御装置の製作において複数種類の内線ケーブルの指定・取り付けをする必要がなくなり、装置の製作を容易にすることができる。
【００１１】
また、中継器４０と外線ケーブル１０はコネクタで接続できるようになっており、端子台接続のように結線が変更される可能性はなく結線間違いのない信頼性の高い更新工事を実施することができる。また、端子台のように１点ごとに接続する必要はなく、コネクタにより一括して着脱できるため、迅速に更新工事を実施することができる。
【００１２】
この発明による実施の形態１によれば、複数の被制御機器を監視制御する監視制御装置本体に設けられ前記複数の被制御機器に対する入出力を行うための複数の入出力ユニット３０と、前記複数の入出力ユニット３０と前記複数の被制御機器とをそれぞれ中継する複数の中継器４０とを備え、前記複数の入出力ユニット３０を所定の配列方向において互いに隣接して配置し、前記複数の中継器４０を前記複数の入出力ユニット３０の配列方向に沿って互いに隣接して配置するとともに、コネクタ２１，２２を有する固定長の内線ケーブル２０からなる本体側ケーブルにより前記監視制御装置本体の入出力ユニット３０のコネクタ３１と前記中継器４０のコネクタ４２を接続し、かつ、前記被制御機器を中継器に接続するための外線ケーブル１０からなる機器側ケーブルと中継器４０のコネクタ４１とをコネクタ１１で接続するようにしたので、製作が容易でケーブル接続作業を簡便に行える監視制御装置を得ることができる。
【００１３】
実施の形態２．
この発明の実施の形態２を図２に基づいて説明する。図２は実施の形態２における構成を示す分解斜視図およびブロック接続図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１４】
上記実施の形態１では、入出力ユニット３０と中継器４０の配置について述べたが、この実施の形態２では、図２に示すように中継器４０に電気的な変換機能を持たせることにより、入出力ユニット３０の電気的仕様とプラント機器の電気的仕様が異なる場合に中継器４０で差異を吸収することができる。
【００１５】
図２では、中継器４０にアナログ入力におけるチャネル間絶縁機能を持たせた場合を記載している。図２（ａ）は実施の形態２における外形構成を示す斜視図である。図２（ｂ）は実施の形態２における接続構成を示すブロック接続図である。
【００１６】
中継器４０には、端子Ｔ１，Ｔ２と端子Ｔ３，Ｔ４との間にアナログ信号のチャネル間絶縁変換回路４０Ａが設けられている。この構成により、端子Ｔ１，Ｔ２と端子Ｔ３，Ｔ４との間におけるアナログ信号の変換機能が遂行されるとともに、中継器４０の端子Ｔ３，Ｔ４に外線ケーブル１０で接続されるプラント機器側の回路は、それぞれ他チャネルを構成する回路と電気的に絶縁される。
【００１７】
この構成によれば、入出力ユニット３０がチャネル間絶縁機能を持たない場合でも、プラント機器とのインタフェースとしてはチャネル間絶縁入力とすることができ、ループ間での電流の回り込みが発生しない高信頼性を持つシステムを構築することができる。
【００１８】
この発明による実施の形態２によれば、実施の形態１における構成において、前記中継器として、アナログ信号からなる中継信号のチャネル間絶縁変換回路４０Ａを有する中継器４０を備えたので、製作が容易でケーブル接続作業を簡便に行えるとともに、システムの信頼性を向上できる監視制御装置を得ることができる。
【００１９】
実施の形態３．
この発明の実施の形態３を図３に基づいて説明する。図３は実施の形態３における構成を示す分解斜視図およびブロック接続図である。
この実施の形態３において、ここで説明する特有の構成以外の構成については、先に説明した実施の形態１および実施の形態２における構成と同一の構成内容を具備し、同様の作用を奏するものである。図中、同一符号は同一または相当部分を示す。
【００２０】
上記実施の形態２では、中継器４０にアナログ入力におけるチャネル間絶縁機能を持たせた場合について述べたが、この実施の形態３を示す図３には、中継器４０にディジタル入力におけるプロセス電流を増加させる場合について記載している。図３（ａ）は実施の形態３における外形構成を示す斜視図である。図３（ｂ）は実施の形態３における接続構成を示す接続図である。
【００２１】
入出力ユニット３０に流れる電流は入出力ユニット３０の内部抵抗３０Ｒにより制限されるが、中継器４０に適切な抵抗４０Ｒを置き、この抵抗４０Ｒを回路に並列に接続することにより、ディジタル入力の電流変換機能を持たせて、プラント機器が必要とする電流レベルに対応させることができる。
これにより、入出力ユニット３０とインタフェースする機器が更新されない場合でも、入出力ユニット３０のみ更新することができる。
【００２２】
この発明による実施の形態３によれば、実施の形態１または実施の形態２における構成において、前記中継器４０として、抵抗４０Ｒからなるディジタル入力信号の電流変換手段を有する中継器を備えたので、製作が容易でケーブル接続作業を簡便に行えるとともに、必要とされる電流レベルに適切に対応できる監視制御装置を得ることができる。
【００２３】
実施の形態４．
この発明の実施の形態４を図４に基づいて説明する。図４は実施の形態４における構成を示す分解斜視図である。
この実施の形態４において、ここで説明する特有の構成以外の構成については、先に説明した実施の形態１ないし実施の形態３における構成と同一の構成内容を具備し、同様の作用を奏するものである。図中、同一符号は同一または相当部分を示す。
【００２４】
上記実施の形態１では、入出力ユニットと中継器が１対１に対応する場合について述べたが、図４に示すように２つの入出力ユニットを１つの中継器に対応させることもできる。
図４において、外線ケーブル１０はプラント機器に接続される。内線ケーブル２００は第１の入出力ユニット３００と中継器４０とを接続し、内線ケーブル２１０は第２の入出力ユニット３１０と中継器４０とを接続する。
【００２５】
入出力ユニット３００のコネクタ３０１を内線ケーブル２００のコネクタ２０１と接続し、中継器４０のコネクタ４２を内線ケーブル２００のコネクタ２０２と接続する。
同様に、入出力ユニット３１０のコネクタ３１１を内線ケーブル２１０のコネクタ２１１と接続し、中継器４０のコネクタ４３を内線ケーブル２１０のコネクタ２１２と接続する。
次に、中継器４０のコネクタ４１を外線ケーブル１０のコネクタ１１と接続することにより、監視制御装置の入出力ユニット３００，３１０とプラント機器とをインタフェースする。
【００２６】
外線ケーブル１０が扱う入出力点数はプラント監視制御装置とプラント機器のインタフェースとして固定した点数となるが、この点数に比較して入出力ユニット３００，３０１が扱う点数が少ない場合に、この実施の形態４を適用する。
これにより、プラント監視制御装置とプラント機器の入出力点数を規定することができ、システム全体を標準化できるというメリットがある。
【００２７】
この発明による実施の形態４によれば、実施の形態１ないし実施の形態３における構成において、中継器４０の少なくともいずれか一つと、監視制御装置の複数の入出力ユニット３００，３０１とを接続するようにしたので、製作が容易でケーブル接続作業を簡便に行えるとともに、システム全体の標準化が可能な監視制御装置を得ることができる。
【００２８】
実施の形態５．
この発明の実施の形態５を図５に基づいて説明する。図５は実施の形態５における構成を示す分解斜視図である。
この実施の形態５において、ここで説明する特有の構成以外の構成については、先に説明した実施の形態１ないし実施の形態４における構成と同一の構成内容を具備し、同様の作用を奏するものである。図中、同一符号は同一または相当部分を示す。
【００２９】
上記実施の形態１とは異なるコネクタ形状を持つ入出力ユニットを適用する場合には、図５に示すようにコネクタ２１の形状を変更するのみで対応できる。したがって異なる種類の入出力ユニットを使用することができる。
【００３０】
この発明による実施の形態５によれば、前記本体側ケーブル２０の入出力ユニット側に設けられるコネクタ２１を交換可能に構成したので、製作が容易でケーブル接続作業を簡便に行えるとともに、異なる種類の入出力ユニットに対する接続作業を容易に行える監視制御装置を得ることができる。
【００３１】
【発明の効果】
この発明によれば、製作が容易でケーブル接続作業を簡便に行える監視制御装置を得ることができる。
【図面の簡単な説明】
【図１】この発明による実施の形態１における構成を示す分解斜視図である。
【図２】この発明による実施の形態２における外形構成および接続構成を示す分解斜視図および接続図である。
【図３】この発明による実施の形態３における外形構成および接続構成を示す分解斜視図および接続図である。
【図４】この発明による実施の形態４における構成を示す分解斜視図である。
【図５】この発明による実施の形態５における構成を示す分解斜視図である。
【符号の説明】
１０  外線ケーブル、１１  コネクタ、２０，２００，２１０  内線ケーブル、２１，２０１，２０２，２１１，２１２  コネクタ、３０，３００，３１０  入出力ユニット、３０Ｒ  抵抗、３１，３０１，３１１  コネクタ、４０  中継器、４０Ａ  チャネル間絶縁変換回路、４０Ｒ  抵抗、４１，４２，４３  コネクタ、中継器。
【図１】
2004171420.tif 000003
【図２】
2004171420.tif 000004
【図３】
2004171420.tif 000005
【図４】
2004171420.tif 000006
【図５】
2004171420.tif 000007